(57)【要約】【課題】同一投資対象について情報源の異なる複数の投資情報があっても、その精算管理を容易とすることを可能とする。【解決手段】インターネット２５を介して接続されたクライアント端末装置２３とウェブサーバ装置２７と該ウェブサーバ装置２７に接続されたデータベースサーバ装置３１とを備えた投資情報提供システムにおいて、ウェブサーバ装置２７は、同一投資対象について情報源の異なる複数の投資情報を搭載し、クライアント端末装置２３によりウェブサーバ装置２７にアクセスして投資情報を選択取得するとデータベースサーバ装置が情報源のランク付けに対応した精算を行うことを特徴とする。【選択図】  図１
2007141050.tif 000002
【特許請求の範囲】
【請求項１】
ネットワークを介して接続されたクライアント端末装置とウェブサーバ装置と該ウェブサーバ装置に接続されたデータベースサーバ装置とを備えた投資情報提供システムにおいて、
前記ウェブサーバ装置は、情報源の異なる複数の投資情報を搭載し、
前記クライアント端末装置により前記ウェブサーバ装置にアクセスして前記ウェブサーバ装置の投資情報を選択取得すると対応した精算を前記データベースサーバにより行う精算管理装置を設けた
ことを特徴とする投資情報提供システム。
【請求項２】
請求項１記載の投資情報提供システムであって、
前記精算管理装置は、予め登録したポイント数から前記情報源に対応するポイントを減算して前記精算を行う
ことを特徴とする投資情報提供システム。
【請求項３】
請求項２記載の投資情報販提供システムであって、
前記精算管理装置は、登録したポイント数に有効期限を設定し、
前記ウェブサーバ装置は、有効期限内に限り投資情報の提供を行う
ことを特徴とする投資情報提供システム。
【請求項４】
請求項１〜３の何れかに記載の投資情報提供システムであって、
前記精算管理装置は、前記情報源のランク付けに対応した精算を行う
ことを特徴とする投資情報提供システム。
【発明の詳細な説明】
【技術分野】
【０００１】
本発明は、コンピュータシステムを用いて投資情報の提供を可能とする投資情報提供システムに関する。
【背景技術】
【０００２】
従来、株式の売買などの投資に有利となるような情報を、情報受給者がインターネットにアクセスして取得するシステムがある。
しかし、従来のシステムは、情報受給者が投資情報の要求を行うと、情報の提供者が一方的に情報を提供するに過ぎなかった。
このため、一般投資家は、新聞や、証券会社が配布する印刷物を無料または有料で入手し、またはそれらの情報が載った記憶媒体（フレキシブルディスクやＣＤ−ＲＯＭ）を入手することにより情報を得ていた。
しかし、これらの既存のメディアを使った情報伝達では、情報が発信されてから、情報受給者に伝わるまでに時間がかかる問題があり、その伝達時間の遅れにより提供される情報が陳腐化してしまう問題があった。
また、投資家は新聞などのメディアに載っているすべての情報を必要としない場合があるが、あるひとつのメディアの必要部分のみを入手するという選択が不可能であった。
【０００３】
【特許文献１】特開２００１−９２８９８号公報
【特許文献２】特開２００２−６３３６１号公報
【発明の開示】
【発明が解決しようとする課題】
【０００４】
解決しようとする問題点は、既存のメディアを使った情報伝達では、情報が陳腐化してしまい、またあるひとつのメディアの必要部分のみを入手するという選択が不可能であった点である。
【課題を解決するための手段】
【０００５】
本発明は、投資情報がその情報受給者に伝達されるまでに時間が経過し、該投資情報が陳腐化してしまうのを防ぎ、且つ投資情報購入者が必要としない情報にまで代価を払うことを防ぐため、ウェブサーバ装置は、情報源の異なる複数の投資情報を搭載し、クライアント端末装置によりウェブサーバ装置にアクセスしてそこに載せられている投資情報を選択取得すると対応した精算をデータベース装置により行う精算管理装置を設けたことを最も主要な特徴とする。
【発明の効果】
【０００６】
本発明の投資情報提供システムは、ウェブサーバ装置が、情報源の異なる複数の投資情報を搭載し、クライアント端末装置によりウェブサーバ装置にアクセスしてそこに載せられている投資情報を選択取得すると対応した精算をデータベース装置により行う精算管理装置を設けたため、情報受給者は、情報源の異なる複数の投資情報をタイムリィに選択取得して、投資判断に供することができる。
【発明を実施するための最良の形態】
【０００７】
投資情報がその情報受給者に伝達されるまでに時間が経過し、該投資情報が陳腐化してしまうのを防ぎ、且つ情報受給者が必要としない情報にまで代価を払うことを防ぐという目的を、精算管理装置により実現した。
【実施例１】
【０００８】
［投資情報提供システムの構成］
図１は、本発明の実施例に係る投資情報提供システムのブロック図である。
図１のように、投資情報提供システムは、ネットワークの一例であるインターネットを介して接続されたクライアント端末装置２３とウェブサーバ装置２７と該ウェブサーバ装置２７に接続されたデータベースサーバ装置３１とを備えている。
前記クライアント端末装置２３は、インターネット２５に接続してウェブサーバ装置２７にアクセス可能とするコンピュータ上のブラウザ２３を備えている。
前記ウェブサーバ装置２７上には、投資情報を提供するためのホームページを動作させるためのデータファイル及びプログラムファイル４１が搭載されている。ウェブサーバ装置２７は、ミドルウェアプログラム２９を介してＤＢサーバ３１にアクセスすることができるようになっている。
ウェブサーバ装置２７上には機能別に大きく４つに分けられるカテゴリのファイルが搭載されている。（１）ホームページを表示させるためのＨＴＭＬページ、（２）ログインＩＤ及びパスワードを確認したり、番組購入時の記録を残すためのＣＧＩファイル、（３）ウェブサーバとＤＢサーバとのデータのやり取りを行うミドルウェアを制御するためのミドルウェア制御ファイル、（４）投資情報などの番組である、ＰＤＦなどの文書ファイルや、ＪＰＧなどの画像ファイルや、ＷＭＶなどの動画ファイルである。なお、ファイルの種類は上記のように４つに分けることができるが、ひとつのファイルでＨＴＭＬファイルでありかつミドルウェア制御ファイルであったりするように、ひとつのファイルに複数のカテゴリの機能が含まれている場合がある。
前記ウェブサーバ装置３１は、同一投資対象について情報源である情報提供者の異なる複数の投資情報を搭載している。各投資情報には、提供を受けるときに精算されるポイント数が割り当てられている。この場合、本実施例では、全情報均一のポイントを割り当てている。
但し、情報提供者の異なる投資情報について情報源のランク付けを行い、ランク付けに対応して精算するポイントを割り当てることも可能である。また、データベースサーバ装置３１には、情報受給者の会員登録により購入したポイントを予め登録できるようになっている。
そして、前記クライアント端末装置２３により前記ウェブサーバ装置２７にアクセスして同ウェブサーバ装置に搭載されている投資情報を選択取得すると前記情報提供者のランク付けに対応した精算がデータベースサーバ装置３１で行われる。
従って、データベースサーバ装置３１は、本実施例において精算管理装置を構成している。
本実施例において、前記精算は、前記予め登録したポイント数から前記情報提供者のランク付けに対応して割り当てられたポイントを減算して行う。但し、投資情報を選択取得によりポイントを加算し、加算ポイントにより精算処理することも可能である。
また、本実施例において、前記ウェブサーバ装置２７は、登録したポイント数に有効期限を設定し、有効期限内に限り投資情報の提供を行う。有効期限の設定においては、例えば有効期限の経過したポイントをデータベースサーバ装置３１から抹消することで行う。
【０００９】
［DBサーバの構成］
図２は、前記データベースサーバ装置３１中に保持されているデータテーブルを示す説明図である。
図２のように、データベースサーバ装置３１には、会員に関するデータテーブル５１及び投資情報番組に関するデータテーブル５３が搭載されている。
前記データテーブル５１には、会員ＩＤ、そのパスワードが正しいかどうか確認するためのパスワードハッシュ値、会員名、会員有効期限、残りのポイント数が記録されている。
前記データテーブル５３には、番組ＩＤ、番組名、番組提供者ＩＤ、必要購入ポイント数、購入された回数が記録されている。
【００１０】
［システムの動作］
図２のデータベースの表５１，５３を使ってシステムがどのように動作するかを、図３のフローチャートを参照しながら説明する。
【００１１】
図３の利用の流れのステップＳ１からステップＳ１１で示されているが、利用者はまず会費を支払い会員となる。この時点で表５１に会員のデータがエントリされ、会員ＩＤ、パスワードに対応したそのハッシュ値、会員名が入力され、支払われた会員費に見合った、会員有効期限、残ポイント数がセットされる。
次に上記図１のステップＳ１３からステップＳ１９で示してあるように会員が番組をホームページからダウンロードして視聴する。この時システムは表５１にあるテーブルの該会員の会員有効期限が有効であることを確認することと、該会員が希望する投資情報番組に必要な購入ポイントを表５３より求めて、表５１の該会員の残ポイント数が希望視聴番組の必要ポイント数と同じかそれより大きい場合にのみ視聴を許可する。
視聴を許可した後、表５１の該会員の残ポイント数から希望視聴番組の購入ポイント数が引かれ、表５１が更新されるとともに、表５３の該希望視聴番組の購入回数が１プラスされる。番組提供情報会社は表５３の購入回数データより、人気の番組及び人気の番組提供者を知ることができ、以降の番組の作成に役立てることができる。
【００１２】
この一連の動作は図１のＣＧＩプログラム４５及びミドルウェア制御プログラム４７によって行われている。
［入会、ポイント購入・消費の流れ］
次に本発明実施例による情報購入の流れを説明する。
【００１３】
ステップＳ１で、投資情報を購入希望の利用者は、インターネットを介して投資情報ホームページにアクセスし、会員登録を要求する。
ステップＳ３で投資情報販売システムはそのウェブサーバにより会員登録ページを表示し、ステップＳ５で情報受給者からの会員登録要求を受け会員ＩＤ及びパスワードを決定し、会費送金の口座情報とともに利用者に通知する。
ステップＳ７で利用者は送金情報に基づき会費を該送金情報の口座に振込する。ステップＳ９で投資情報提供者は振込の入金を確認したら、ステップＳ１１で該会員へのポイントを発生させ、投資情報視聴可能を該会員に通知する。
【００１４】
ステップＳ１３で番組視聴可能となった会員は、投資情報提供のホームページに陳列されている投資情報より、希望の番組を選択し該当項目をクリックし、与えられた会員ＩＤとパスワードを入力する。
ステップＳ１５により投資情報システムは番組視聴要求のあった該会員の残ポイント数を確認し、ステップＳ１７でその残ポイント数が視聴希望番組のポイント数と同じかまたは大きい場合、該会員のポイント数を該視聴希望番組分消費し、該番組を提供する。
【００１５】
ステップＳ１９で会員は、要求した投資番組を視聴し、以降続けて番組を視聴する場合はステップＳ１３に戻り以下のシーケンスを繰り返す。
【００１６】
［ホームページの一例］
図４は本システムのウェブサーバ上に搭載されているウェブページのトップページ（利用者が一番初めに閲覧するページ）である。利用者はこのトップページより希望のサービスを受けるための各ページに移動することができるようになっておりそのためのリンクボタンが設定されている。そのリンクボタンの代表的なものであるリンクボタン６１，６３，６５について説明する。
リンクボタン６１をクリックすることにより、情報受給者は図５の『初めての方へ』のページに誘導される。このページでは、本システムを利用しようとする希望者向けに本システムの概要、プリペイドによるポイント購入方式の説明や図３で説明した利用の流れについての概要説明がなされている。
図４のリンクボタン６３をクリックすると、図３のステップＳ１からステップＳ３の流れにつながる会員登録のためのページへ誘導される。リンクボタン６５をクリックすると、図３のステップＳ１３からステップＳ１５への流れにつながる番組視聴へ誘導される。リンクボタン６５には、情報提供者毎のプロファイルと写真（図５の６５リンクボタン横のIMG部分）が記載されており、利用者はそれらの情報をどの投資情報提供者の投資情報を購入するかについての参考とすることができる。各情報提供者は、例えば同一投資対象について投資情報をそれぞれ提供しており、該投資情報が前記ウェブサーバ装置２７に記憶されており、情報受給者が選択取得可能となっている。
従って、リンクボタン６１，６３，６５のクリックにより、前記投資情報の取得を的確に行わせることができる。
【００１７】
［実施例の効果］
以上説明したように、本発明の実施例によれば、ウェブサーバ装置２７が、同一投資対象について情報提供者の異なる複数の投資情報を搭載し、クライアント端末装置２３によりウェブサーバ装置２７にアクセスして投資情報を選択取得すると前記情報提供者の情報のランク付けに対応した精算を行うことができる。
従って、株式などに関する投資情報を迅速に情報購入希望者に販売することができ、かつ利用者は自分の希望する投資情報だけを購入することができる。
前記ウェブサーバ装置２７は、予め登録したポイント数から前記情報提供者のランク付けに対応するポイントを減算して前記精算を行うため、的確な精算を行わせることができる。
前記データベース装置３１は、登録したポイント数に有効期限を設定し、有効期限内に限り投資情報の提供を行うため、不要なポイントが貯まるのを防止することができる。
投資情報の選択取得に対しては、情報源のランク付けに対応した精算により、的確な精算管理を行わせることができる。
【図面の簡単な説明】
【００１８】
【図１】投資情報提供システムのブロック図である（実施例１）。
【図２】ＤＢ（データベース）サーバの保持するデータテーブルである（実施例１）。
【図３】情報提供サービス利用の流れを示すフローチャートである（実施例１）。
【図４】ウェブサーバのホームページのトップページ画面の説明図である（実施例１）。
【図５】『初めての方へ』のページ画面
【符号の説明】
【００１９】
２１  ユーザ会員
２３  クライアント端末装置
２５  インターネット
２７  ウェブサーバ装置（精算管理装置）
２９  ウェブサーバとＤＢサーバをつなぐミドルウェアプログラム
３１  データベースサーバ装置
４１  ウェブサーバ上に搭載されたウェブサーバがアクセスするデータファイル及びデータプログラム
４３  ＨＴＭＬファイル
４５  ＣＧＩプログラム
４７  ミドルウェア制御プログラム
４９  投資情報番組プログラム
５１  ＤＢサーバ中に保持される会員データテーブル
５３  ＤＢサーバ中に保持される番組データテーブル
６１  『初めての方へ』のページへのリンクボタン
６３  会員登録ページへのリンクボタン
６５  投資情報番組視聴ページへのリンクボタン
Ｓ１  利用者の会員登録のリクエスト
Ｓ３  会員登録ページの表示
Ｓ５  会員ID及びパスワード決定、送金情報を表示
Ｓ７  送金指示銀行に入金
Ｓ９  入金の確認
Ｓ１１  会員へのポイント発生、情報視聴可能となる
Ｓ１３  視聴希望番組を選択、ID及びパスワードを入力
Ｓ１５  該会員のポイント残高を確認
Ｓ１７  ポイント数があれば選択番組を提供
Ｓ１９  選択した番組を視聴、再度番組選択のステップＳ１３に戻る
【図１】
2007141050.tif 000003
【図２】
2007141050.tif 000004
【図３】
2007141050.tif 000005
【図４】
2007141050.tif 000006
【図５】
2007141050.tif 000007